(57)【特許請求の範囲】
【請求項１】
上部シート（２）を形成する液体透過性繊維材料シート（２）及び吸収体（１２）のすぐ近くに横たわる液体移動シート（３）を形成する液体透過性多孔質弾性材料シート（３）の形の材料積層体（１）と液体不透過性下部シート（１１）との間に包囲された吸収体（１２）を含む、おむつ、衛生ナプキン、失禁保護物、創傷手当用品又はそれらの類似物品の如き吸収物品であって、
前記材料積層体（１）が平面範囲及び前記平面範囲に垂直な厚さ方向を有し、前記上部シート（２）及び前記液体移動シート（３）の少なくとも一つが熱可塑性材料を含み、前記上部シート（２）及び前記液体移動シート（３）が前記材料積層体（１）上の結合位置（４）の媒体を通して一緒に接合され、その中で熱可塑性材料が少なくとも部分的に軟化又は溶融され、それによって前記上部シート（２）及び前記液体移動シート（３）を一緒に接合する吸収物品において、
前記吸収体が部分的に中和された超吸収材料を含み、及び前記積層体の前記上部シート（２）及び前記液体移動シート（３）における接合領域が前記上部シート（２）を通って及び少なくとも部分的に前記液体移動シート（３）を通って前記材料積層体（１）の厚さ方向に延び、
前記結合位置（４）の二つの相互に隣接する群（５）の間の最小距離ｘが各群（５）における二つの相互に隣接する結合位置（４）の間の最大距離ｙの大きさの少なくとも２倍であることを特徴とすることを特徴とする吸収物品。
【請求項２】
前記材料積層体の結合領域が２以上の群（５）に配置され、そこで各群が少なくとも二つの結合位置（４）を含み、一つの与えられた群（５）における二つの相互に隣接する結合位置（４）の間の最大相対距離が一つの群（５）とその最も近い隣接群（５）の間の最小距離より小さくなっており、前記材料積層体（１）が各結合群（５）の間に位置される第２非結合積層体領域（９）より大きい密度を有する第１非結合積層体領域（６）を各結合群（５）における結合位置（４）の間に含むことを特徴とする請求項１記載の吸収物品。
【請求項３】
湿潤時の前記吸収物品の前記吸収体におけるｐＨが３．５−４．９、好ましくは４．１−４．７の範囲にあるような中和度を超吸収材が有することを特徴とする請求項１又は２記載の吸収物品。
【請求項４】
前記積層体の前記結合位置（４）が点状結合、線状結合、矩形結合又は円形結合を含むことを特徴とする請求項２又は３記載の吸収物品。
【請求項５】
前記上部シート（２）が前記結合位置（４）内に貫通穴を有することを特徴とする請求項１〜４のいずれか記載の吸収物品。
【請求項６】
前記上部シート（２）が不織材料から構成されることを特徴とする請求項１〜５のいずれか記載の吸収物品。
【請求項７】
前記上部シート（２）がカードされ熱結合された不織材料から構成されることを特徴とする請求項１〜６のいずれか記載の吸収物品。
【請求項８】
前記液体移動シート（３）が０．５−４ｍｍの厚さを有する繊維詰物シートであることを特徴とする請求項１〜７のいずれか記載の吸収物品。
【請求項９】
前記最小距離ｘと前記最大距離ｙの間の比（ｘ／ｙ）が２／１〜１２／１であることを特徴とする請求項１記載の吸収物品。
【請求項１０】
前記最小距離ｘが２−６ｍｍであり、前記最大距離ｙが０．５−１ｍｍであることをと特徴とする請求項１又は９記載の吸収物品。
【発明の詳細な説明】
【０００１】
本発明は液体透過性外部シート又は上部シート及び吸収体のすぐ近くに横たわる液体透過性液体移動シートの形の材料積層体と液体不透過性下部シートの間に包囲された吸収体を含む吸収物品に関する。
【０００２】
背景
おむつ、衛生ナプキン、失禁保護物などの吸収物品で遭遇される一般的な問題はそれらの使用が皮膚炎症及び体排出物臭気に関連した問題の如き望ましくない副作用に導くことである。これらの問題は閉塞、湿分の存在、及び機械的、微生物的及び酵素的要因の存在の結果として起こり、それらの全てが異なる程度に相互に作用して互いの作用を増幅する。また、幾つかの望ましくない副作用はｐＨの増加の結果として又はｐＨの増加と結合して起こりうる。
【０００３】
ＵＳ  ３７９４０３４は吸収物品におけるｐＨの重要性を記載し、吸収物品中のｐＨを３．５〜６．０に維持できる緩衝物質を吸収物品に含浸することを教示し、それは望ましくない細菌の増殖及びそれによる望ましくない臭気の発生を抑制することに関して及び装着者の皮膚に対する悪影響を避けることに関して有益である。
【０００４】
スウェーデン特許出願ＳＥ  ９７０２２９８−２は湿潤後物品のｐＨが３．５〜４．９にある部分的に中和された超吸収材料の形のｐＨ調整物質を含む吸収物品の使用を教示する。ＳＥ  ９７０２２９８−２による吸収物品は皮膚炎症の危険及び悪臭に関連した問題を減らす。従来の超吸収材料は約７０％の中和度を有し、部分的に中和された超吸収材料はそれより低い中和度を有する。
【０００５】
発明の概要
本発明の目的は皮膚炎症、例えば接触皮膚炎の危険を低下することである。これは分離した領域（例えば点状／線状領域）において多孔質液体移動シートに熱的に結合される液体透過性繊維上部シート、及び部分的に中和された超吸収材料を含む吸収体を含む吸収物品で達成される。
【０００６】
本発明は上部シートとして液体透過性繊維材料シート、及び吸収体のすぐ近くに横たわる液体移動シートとして液体透過性多孔質弾性材料シートから構成される材料積層体と液体不透過性下部シートの間に包囲された吸収体を含む、おむつ、衛生ナプキン、失禁保護物、創傷手当用品又はそれらの類似物品の如き吸収物品であって、材料積層体が平面範囲及び前記平面範囲に垂直な厚さ方向を有し、材料シートの少なくとも一つが熱可塑性材料を含み、二つの材料シートが積層体の結合位置の媒体を通して一緒に接合され、その位置内で熱可塑性材料が少なくとも部分的に軟化又は溶融され、それによって前記二つのシートを一緒に結合させる場合において、吸収体が部分的に中和された超吸収材料を含むこと、及び積層体のシート接合領域又は位置が上部シートを通って及び少なくとも液体移動シートの一部を通って積層体の厚さ方向に延びることを特徴とする吸収物品に関する。
【０００７】
プラスチックフィルムは多くのタイプの吸収物品における上部シートとして使用される。繊維構造体によって与えられる利点はそれが閉塞の危険を低下し、それによって皮膚炎症の危険を低下することである。これは繊維構造体がフィルムほど密でないからである。また繊維上部シートは皮膚に対して通常柔らかく滑らかな表面を与え、皮膚に対する上部シートの機械的効果（例えば、装着者が動いたときの皮膚の摩擦）を低下する。
【０００８】
分離した領域における上部シートに熱的に結合される、液体透過性上部シートと吸収体の間の多孔質液体取得層又はシートによって与えられる利点は繊維外部シートの通気性が上部シートの表面全体又はその表面の少なくとも大部分が液体取得シートの表面に結合されるときより良好な効果を保持されることである。分離した結合は積層体の厚さ方向において非結合部分におけるより密な構造を与え、それは内方にある多孔質液体取得構造に向かって結合位置において容易に液体を案内することができる。
【０００９】
吸収体は部分的に中和された超吸収材料を含むので、ｐＨは前記吸収体が使用されるときに低下され、それによって望ましくない副作用、例えば悪臭及び皮膚炎症を打ち消すだろう。これは使用時に装着者に面する乾燥した柔らかい上部又は外部シートと組み合わせて装着者に極めて良好な効果を有する。典型的な中和度は約７０％であるが、中和度は本発明の場合にはより低いだろう。
【００１０】
本発明は特におむつかぶれの防止に使用するために特に好適である。
【００１１】
図面の簡単な説明
本発明は添付図面を参照してより詳細に記載されるだろう。
図１は本発明による吸収物品に含まれる積層体を上から示す。
図２は図１において線II−IIでとった、図１の積層体を通る断面図である。
図３は第１結合パターンを示す。
図４は第２結合パターンを示す。
図５は第３結合パターンを示す。
図６は第４結合パターンを示す。
図７は第５結合パターンを示す。
図８は失禁保護物の形の本発明の第１例を示す。
図９は参照製品４と比較した参照製品におけるアンモニアの生成量のダイヤグラム表示である。
図１０は対応する試験製品４の使用と比較した従来の吸収体を含む試験製品を使用するときの皮膚表面ｐＨのダイヤグラム表示である。
【００１２】
具体例の記述
本発明はおむつ、衛生ナプキン、失禁保護物、創傷手当用品などの吸収物品に関する。図８は上部シートとして液体透過性繊維材料シート２、及び液体移動シート３として液体透過性多孔質弾性材料シート３を含む材料積層体１と液体不透過性下部シート１１の間に包囲された吸収体又はパッド１２を含む失禁保護物を一例として示す。液体移動シート３は吸収体１２の方に面し、材料積層体１は平面範囲及び前記平面範囲に垂直な厚さ方向を有する。材料シート２，３の少なくとも一つは熱可塑性材料を含み、二つのシート２，３は積層体１上の結合領域４の媒体を通して一緒に結合され、それによって前記領域中の熱可塑性材料は少なくとも部分的に軟化又は溶融され、それによって二つの材料シート２，３を一緒に結合する。吸収体は部分的に中和された超吸収材料を含む。積層体結合領域は上部シート２を通って及び少なくとも部分的に液体移動シート３を通って積層体１の厚さ方向に延びる。
【００１３】
積層体１上の結合領域は２以上の群５において配置され、各群５には少なくとも二つの結合位置４が含まれ、一つの与えられた群における二つの相互に隣接する結合位置４の間の最大距離が各群５とその最も近い隣接群５の間の最小距離より短く、それによって前記積層体１が前記結合群５の間に位置される積層体における結合のない領域９より高い密度を有する結合のない領域６を各結合群５における結合位置４間に有する。
【００１４】
積層体は図１〜７を参照してより詳細に記載される。図１及び２に示された積層体１は第１材料シート２、上部シート２、及び第２材料シート３、液体移動シート３を含む。第１材料シート２は相対的に薄い不織材料からなることが都合が良い。
【００１５】
不織材料は多くの方法で、例えば繊維マットをカード又は紡績し、次いでマットを結合することによって製造されることができる。繊維マットの形で短繊維を堆積するためにメルトブロー技術を使用することができる。不織材料中の繊維は多数の様々な方法のいずれか一つで結合されることができる。例えば、様々なタイプの結合剤を使用することができる。さらに、材料中に存在するホットメルト成分を、超音波による又は熱を適用することによる結合を実施するために使用することができる。他の結合方法はニードリング及び水流交絡である。様々な結合方法の組み合わせを使用してもよい。
【００１６】
積層体が吸収物品上の液体透過性上部材料として使用されるとき、第１材料シート２、上部シート２は物品の装着者のすぐ近くに横たわることを意図されるシートである。第１シートは装着者に対して滑らかで柔らかい表面を有することが重要である。
【００１７】
第２材料シート３、液体移動シート３は第１材料シート２より厚いことが好ましく、０．５〜４ｍｍの厚さを有する多孔質弾性繊維材料からなることが好ましい。この第２材料シート３は積層体が上部シートとして吸収物品上に装着されるときに液体移動シートとして作用する。それゆえ第２材料シート３は短い時間で多量の液体を収容し、前記材料シートの平面において液体を分布又は分配し、液体を積層体１の下に配置される吸収体に送ることができ、しかも吸収体によって吸収されるに至っていない液体を一時的に貯蔵できることが好ましい。液体移動シート３に使用するために特に好適な材料は合成繊維詰物、カードされた結合又は非結合繊維層、又は嵩高い不織材料である。この発明に使用されうる一つの特別なタイプの繊維材料はトウであり、それは層又は紐の形で存在する、本質的に平行で、長い又は無限の繊維又は繊維フィラメントを意味する。この発明における別の好適な材料は多孔質親水性フォーム材料である。第２材料シートは異なる材料の２以上の層から又は一つの同じタイプの材料からなってもよい。
【００１８】
本発明の吸収物品の上部シートを形成する積層体の限定されない例としては１０〜５０ｇ／ｍ２の単位面積あたり重量を有する不織合成繊維材料の第１材料シート２、及び２０〜１００ｇ／ｍ２の単位面積あたり重量を有しかつ合成繊維詰物からなる第２材料シート３からなる複合不織材料を述べることができる。少なくとも第１シート２、好ましくは両シート２，３は熱可塑性材料を含むだろう。好適な熱可塑性材料はポリオレフィン、例えばポリエチレン及びポリプロピレン、及びポリアミド、ポリエステルなどである。他のタイプの二構成要素繊維を使用してもよい。
【００１９】
二つのシート２，３は多くの数の結合位置４を通して一緒に接合される。結合位置４は本質的に点状であり、積層体１を圧縮し、同時にそれにエネルギーを供給することによって形成される。熱可塑性材料はそれによって結合位置４において軟化又は溶融され、積層体１の二つのシート２，３を一緒に結合する。第１及び第２シート２，３は例えば溶融の形での超音波結合によって又は熱結合によって一緒に結合されることが好適である。これで形成された溶接パターンは３次元構造を有する。
【００２０】
結合位置４は各群５に四つの結合位置４を有する群５に配置される。四つの結合は四角形の角を形成するように置かれる。各群における結合位置４の間の距離は隣接群５の間の距離より短い。群５それ自体の中の結合位置間の距離は相互に隣接する結合位置４の間の最も近い距離として決定される。対応して、群５間の距離は相互に隣接する群５の間の最も近い距離として決定される。距離は両ケースにおいて結合位置４の縁から測定される。それぞれの群５において一緒に最も近い結合位置４間で測定された、隣接群間の最も短い距離ｘは好適には２〜６ｍｍであり、群中の相互に隣接する結合位置４の間の最大距離ｙは好適には０．５〜１ｍｍである。最初に述べた距離ｘは最後に述べた距離ｙの少なくともほぼ２倍の大きさである。距離ｘとｙの間のｘ／ｙ比は２／１〜１２／１である。
【００２１】
積層体１中の溶融又は軟化された熱可塑性材料が冷却すると、それは凝固し、積層体結合剤として機能するだろう。二つのシート２，３のこの結合に加えて、シート２，３中の多孔質構造は緻密又は密なままである。最も顕著なのは実際の結合位置４における密度の向上である。結合位置４の特定の位置設定は結合された積層体１が群５中の結合位置４によって境界づけられる四角形領域６を示し、群５間の領域７よりこれらの領域において密であることを意味する。
【００２２】
図１及び２に示された積層体１を形成するシートは結合位置４において上部シート２に貫通穴８を形成することによって一緒に結合される。さらに、結合位置４内に及びその最も近くに位置された材料は極めて密度を高められ、周囲の材料より微細な毛管を有する。これは液体を上部シート２から液体移動シート３に送るように結合が位置される領域の能力を増強する。
【００２３】
積層体１は第１シート２、上部シート２に貫通穴８を含めるように示されているが、これが本発明の必須の特徴ではないことが理解されるだろう。また、本発明は結合位置４が多かれ少なかれ液体不透過性の表面を示す積層体、及び貫通穴及び液体不透過性結合の両方を含む積層体を含む。低い液体透過性又は液体不透過性の結合位置は例えば積層体が溶融され次いで凝固されてフィルム状表面になった熱可塑性材料を高い割合で含むときに得られる。実際の結合位置４は実際には液体に対して完全に不透過性であるが、各結合位置４の最も近くで起こる結合圧縮と組み合わされた結合位置４のまわりに作られた圧縮された繊維構造は極めて高い液体移動能力をなお有する。
【００２４】
さらに、結合位置の各群５における結合位置４の内方の密度を高められた領域６は高い液体移動能力の領域を形成する。各群５における結合位置４間の距離は相対的に小さく、好ましくは０．５ｍｍ−１ｍｍであるので、結合位置４における材料の圧縮は前記結合位置４の内方の領域６に影響してより密な構造を得るだろう。結合位置４によって画定される密度を高められた領域６における毛管のサイズは結合位置４の群５の間に位置される積層体１の領域における毛管のサイズより平均して小さい。積層体１は結合位置４の組み合わされた表面積に対して相対的に高い液体移動能力を有するだろう。組み合わされた結合表面積は全表面積の３〜１１％であることが好ましいだろう。積層体の驚くほど良好な液体輸送及び液体移動能力は結合位置４それ自体及びこれらの位置にすぐ隣接して位置される高い液体移動能力を示す領域だけによるのではなく、改良した液体移動能力に寄与する群５中の結合位置４間に位置される領域にもよる。
【００２５】
本発明は高い密度の領域、及びそれによって増大される液体移動能力を、柔らかく曲げやすい高い嵩の積層体１をなお得ながら実現することができる。これは部分的に中和された超吸収材料を含む吸収体によって、低いｐＨを有する製品及び装着者の皮膚に対して乾燥した表面を生じる。悪臭及び皮膚炎症の如き望ましくない副作用の危険も低下される。
【００２６】
皮膚に適用される製品の使用は全て望ましくない副作用に導きうる。これらの副作用は閉塞、湿分の存在、及び機械的、微生物的及び酵素的性質の要因によって起こされることができる。かかる使用はまた皮膚炎症、一次又は二次皮膚感染を起こし、望ましくない臭いを発生する。吸収物品が皮膚に対して装着されるときにｐＨの増加が通常起こる。しかしながら、幾つかの望ましくない副作用はｐＨの増加の結果として又はそれと結合して起こりうる。皮膚の表面ｐＨとの関係を持つことが示されている刺激性接触皮膚炎はかかる望ましくない副作用の一例である。
【００２７】
望ましくない副作用の別の例はプロテウスの如きある細菌が尿及び他の体液中の物質を変化させ、ｐＨの増加を生じるアンモニア及びアミンなどの臭気物質を起こすことができることである。高いｐＨ値においては、多くの臭気物質の平衡が揮発性成分をより発生するように代わるため、低いｐＨ値においてより悪臭が多い。
【００２８】
特に湿分、栄養素及び熱が利用可能である吸収物品に見出されるものの如き環境は微生物の増殖に有利である。高い細菌数は感染の危険を構成する。高い細菌数の存在は尿及び月経液の構成成分の如き体液構成成分の生物学的又は化学的分解の結果として形成する様々な物質によって当惑する臭いが生成される危険が大きいことを意味する。微生物の活性はｐＨに大きく依存し、ｐＨ値の低下とともに減少する。
【００２９】
本発明による吸収構造体中の部分的に中和された超吸収材料の使用はｐＨの低下を生じる。前記望ましくない副作用はかくして本発明の吸収構造体の場合において減少される。
【００３０】
部分的に中和された超吸収材料はスウェーデン特許出願ＳＥ  ９７０２２９８−２に記載された吸収物品に使用される。低下したｐＨ値は部分的に中和された超吸収材料の形のｐＨ制御物質を材料中に含む結果として得られる。吸収物品のｐＨが物品の湿潤後に３．５〜４．９、好ましくは４．１〜４．７の範囲にあるとき、顕著な増殖抑制効果が望ましくない微生物の菌株に関して得られ、物品の使用から生じうる望ましくない副作用の発生が低下されることが見出されている。
【００３１】
好適な部分的に中和された超吸収材料はヨーロッパ特許明細書ＥＰ  ０３９１１０８，Casella AGに記載された種類の架橋されたポリアクリレートからなってもよい。対応する特性を有する前記材料以外の超吸収材料を代わりに使用してもよい。
【００３２】
超吸収材料のｐＨ値と中和度の関係の例は以下の表から明らかであるだろう。以下に掲載された情報はスウェーデン特許出願ＳＥ  ９７０２２９８−２からとられた。
【００３３】
中和度％              ｐＨ
18                  4.0
25                  4.3
30                  4.5
35                  4.7
45                  5.0
60                  5.5
【００３４】
表から中和度が通常４５％未満、好ましくは３５％未満にすべきであることがわかるだろう。しかしながら、中和度は約２０％より高いことが好ましい。これらの中和度は本発明に関して適切である。
【００３５】
本発明による吸収物品の吸収構造体に使用されるそれらの中和度において、構造体が皮膚に対して装着されて湿潤された後に酸環境が得られ、微生物の増殖を抑制し、不快な臭い及び皮膚炎症を避ける。
【００３６】
湿潤された後、本発明の吸収物品の吸収体は３．５−４．９、好ましくは４．１−４．７の範囲のｐＨを有するだろう。
【００３７】
本発明によって与えられる別の利点は皮膚に対する吸収物品を装着する結果として不快な臭気及び皮膚病の発生が避けられることである。増殖抑制効果は多くの微生物が強いｐＨ依存性がありかつｐＨ値の減少とともに減少する活性を有するという事実に基づく。リパーゼ及びプロテアーゼの如き酵素は強いｐＨ依存性がありかつｐＨ値の減少とともに減少する活性を有する。ｐＨの減少は結果として大多数の微生物の活性の減少及び酵素活性の減少を生じ、それによって皮膚に対する負の影響を減少する。
【００３８】
部分的に中和された超吸収材料を含む吸収体を有する吸収物品の効果を示すために下記の実施例はＳＥ  ９７０２２９８−２からとられた。吸収体はまた２．５−８．５のｐＨを有するセルロースパルプを含む。
【００３９】
吸収材料及び吸収された液体を含む吸収体は本来ｐＨの点から異質の系である。その系は超吸収材料、繊維、及び幾つかのタイプのイオンを含有する液体を含んでもよい。再現可能なｐＨ値を得るために、試料体中の幾つかの場所で測定をとり、かかる測定の平均値を計算することが必要である。
【００４０】
実施例の記述：
下記実施例は２．５−８．５のｐＨを有するセルロースパルプと部分的に中和された超吸収材料の組み合わせを含む吸収体を有する吸収物品における効果をより詳細に示すことを意図する。比較例は対応するタイプの従来の材料で作られる。
【００４１】
試験液：
試験液１
０．９％塩化ナトリウム溶液
【００４２】
試験液２
Jayco Pharmaceuticals Co., Pennsylvaniaから入手可能な尿の如き特にＥＰ  ０５６５６０６の記載に従った合成尿。その尿は２ｇ／ｌ  ＫＣｌ；２ｇ／ｌ  Ｎａ２ＳＯ４；０．８５ｇ／ｌ  （ＮＨ４）Ｈ２ＰＯ４；０．１５ｇ／ｌ  （ＮＨ４）２ＨＰＯ４；０．１９ｇ／ｌ  ＣａＣｌ２及び０．２３ｇ／ｌ  ＭｇＣｌ２の組成を有する。この混合物は６．０−６．４のｐＨを有する。
【００４３】
試験液３
次の物質を含有する合成尿：ＫＣｌ，ＮａＣｌ，ＭｇＳＯ４，ＫＨ２ＰＯ４，Ｎａ２ＨＰＯ４，ＮＨ２ＣＯＮＨ２。この混合物は６．０−６．５のｐＨを有する。
【００４４】
試験液４
微生物増殖培地が添加された無菌合成尿。その合成尿は１価及び２価のカチオン及びアニオン及び尿を含み、Geigy, Scientific Tables, Vol. 2, 8th Ed., 1981, page 53に与えられた指示に従って作られた。微生物増殖培地はエンテロバクテリアのためのHook培地及びＦＳＡ培地に関するデータに基づいた。この混合物は６．６のｐＨを有していた。
【００４５】
試験方法：
方法１，試験目的のための吸収体の製造
ＳＣＡＮ  Ｃ  ３３：８０に従ってわずかに変更された試験体成形機の助けで吸収体を製造した。所望の種類の毛羽パルプ及び超吸収材料を秤量し、次いで毛羽パルプと超吸収材料の均一混合物を、約８５ｍｂａｒの下圧の空気流れ中において５ｃｍの直径を有しかつ底部支持金属ネット及び前記ネット上に置かれた薄いティッシュを与えられたパイプに通過させた。毛羽パルプ及び超吸収材料の混合物は金属ネット上に付着されたティッシュ上に収集され、その後吸収体を成形した。吸収体は秤量され、次いで６−１２ｃｍ３／ｇの嵩密度に圧縮された。様々な組成の参照製品１、参照製品２、試験製品１、試験製品２、試験製品３、試験製品４などの多数の吸収体を次いで下記のように製造した。単一コア及び二重コア吸収体中の吸収材料の量は単一コア体及び二重コア体がほぼ同じ吸収能力を有するように適応された。
【００４６】
方法２，セルロースパルプにおけるｐＨの測定
様々な試験製品におけるセルロースパルプのｐＨはＳＣＡＮ  Ｐ  １４：６５に従ってパルプからの水抽出物のｐＨを決定することによって測定された。１．０ｇの空気乾燥セルロースパルプを１００ｍｌガラスビーカに置き、２０ｍｌの蒸留水を加えた。混合物を撹拌した後、さらに５０ｍｌの蒸留水を加え、次いで混合物を約３０秒間撹拌した。そして１時間静止させた。液体は次いで流し出され、ｐＨを２０−３０℃でガラス電極で測定した。二つの試料が作られ、平均値が計算された。
【００４７】
方法３，吸収体のｐＨの測定
約５０ｍｍの直径を有する吸収体が方法１に従って製造された。一定量の試験液１，２及び３を加え、単一コア吸収体に対して１０ｍｌ、二重コア吸収体に対して２０ｍｌ加えた。吸収体は次いで３０分間膨潤させられ、その後吸収体のｐＨが表面電極、平底 Metrohm ｐＨメーター、Beckman φ１２又はφ７２の助けで測定された。少なくとも二つの異なる吸収体について平行に測定を行った。ｐＨは各吸収体上の１０点で測定され、次いで平均値が計算された。
【００４８】
方法４，吸収体における細菌抑制の測定
吸収体は方法１に従って製造された。単一コア及び二重コア吸収体が製造された。試験液４が作られた。Escherichia coli（E.c.），Proteus mirabilis（P.m.），Enterococcus faecalis（E.F.）の各細菌懸濁液を一晩３０℃で培養液中で培養した。継代培養物を希釈して細菌含有量を計算した。培養物を様々な割合で混合して最終的な培養混合物に試験液４の１ｍｌあたり約１０４の菌数を含有させた。試験液４は７０．５×５２ｍｍの大きさで１００ｍｌの体積を有する減菌した痰つぼに注がれ、吸収体はつぼ中に倒して置かれ、５分間にわたって液体を吸収させられ、その後つぼを変えて０，６及び１２時間のそれぞれについて３５℃でインキュベートし、吸収体中の細菌数を決定した。ＴＧＥ寒天は存在する細菌の全数を測定するのに使用された培地であり、Drigalski寒天及びSlanetz Bartley寒天がEscherichia coli，Proteus mirabilis及びEnterococcus faecalisのそれぞれの個々の測定のために使用された。
【００４９】
方法５，アンモニア含有量の測定
単一コア吸収体を方法１に従って製造した。試験液及び微生物を方法５に従って添加し、その後つぼを０．３，６及び１２時間のそれぞれについて３５℃でインキュベートし、その後試料はハンドポンプ及びいわゆるDraeger管の助けでつぼからとられた。次いでアンモニア含有量がｐｐｍ又は体積パーセントのいずれかをつけた目盛りに沿って色表示として読取られた。
【００５０】
方法６，皮膚の表面ｐＨの測定
試料製品は参照製品３及び試験製品４のそれぞれによる吸収体の後側を約２５ｇ／ｍ２の単位面積あたり重量を持ったポリエチレンの被覆で被覆し、前記吸収体の前側を約２０ｇ／ｍ２の単位面積あたり重量を持ったポリプロピレン不織被覆で被覆することによって製造された。試験液３は試験製品の前側に適用され、それに吸収された。生じた試験製品は試験者の前腕上に置かれ、２４時間そこに維持された。その手順を２回繰り返した。皮膚の表面ｐＨは平底Mettler-Toledoガラス電極４０３／１２０を持ったCourage＋Khazaka皮膚ｐＨメーターを使用して試験製品に適用する前、及び２４，４８及び７２時間後に接触場所で測定された。
【００５１】
試験製品：
参照製品１：
１５／８５重量％の比で従来の超吸収材料及び従来のケミサーモメカニカルセルロースパルプから製造された１グラムの全重量を有する単一コア吸収体。
【００５２】
試験製品１：
１５／８５重量％の比で本発明によるｐＨ＝４．２を有する部分的に中和された超吸収材料及びｐＨ＝５．８を有するケミサーモメカニカルセルロースパルプから製造されかつ１グラムの全重量を有する単一コア吸収体。
【００５３】
試験製品２：
１５／８５重量％の比で本発明によるｐＨ＝４．２を有する部分的に中和された超吸収材料及びｐＨ＝３．７を有するケミサーモメカニカルセルロースパルプから製造されかつ１グラムの全重量を有する単一コア吸収体。
【００５４】
参照製品２：
二つのコア吸収体。上部コア（ＵＣ）は１．２グラムの全重量を有し、１２／８８重量％の比で従来の超吸収材料及び従来のケミサーモメカニカルパルプから製造される。下部コア（ＬＣ）は１．１グラムの全重量を有し、１２／８８重量％の比で従来の超吸収材料及び従来のケミカルパルプから製造される。
【００５５】
試験製品３：
二つのコア吸収体。上部コア（ＵＣ）は１．３グラムの全重量を有し、１５／８５重量％の比で本発明によるｐＨ＝４．５を有する部分的に中和された超吸収材料、及びｐＨ５．８を有するケミサーモメカニカルパルプから製造された。下部コア（ＬＣ）は１．２グラムの全重量を有し、１５／８５重量％の比で本発明によるｐＨ＝４．５を有する部分的に中和された超吸収材料、及びｐＨ＝６．３を有するケミカルパルプから製造された。
【００５６】
参照製品３：
単一コア吸収体は１グラムの全重量を有し、１５／８５重量％の比で従来の超吸収材料及び従来のケミカルセルロースパルプから製造される。
【００５７】
試験製品４：
１グラムの全重量を有しかつ１５／８５重量％の比で本発明によるｐＨ＝４．２を有する部分的に中和された超吸収材料、及び従来のケミカルセルロースパルプから製造される単一コア吸収体。
【００５８】
参照製品４：
１グラムの全重量を有しかつ１５／８５重量％の比で従来の超吸収材料及びｐＨ＝６．７を有するケミサーモメカニカルセルロースパルプから製造される単一コア吸収体。
【００５９】
試験製品５：
１グラムの全重量を有しかつ１５／８５重量％の比で本発明によるｐＨ＝４．２を有する部分的に中和された超吸収材料及びｐＨ＝６．７を有するケミサーモメカニカルセルロースパルプから製造される単一コア吸収体。
【００６０】
試験製品６：
二つのコア吸収体。上部コア（ＵＣ）は１．３グラムの全重量を有し、１５／８５重量％の比で本発明によるｐＨ＝４．６を有する部分的に中和された超吸収材料、及びｐＨ＝５．８を有するケミサーモメカニカルパルプから製造される。下部コア（ＬＣ）は１．２グラムの全重量を有し、１５／８５重量％の比で本発明によるｐＨ＝４．６を有する部分的に中和された超吸収材料、及びｐＨ＝６．３を有するケミカルパルプから製造される。
【００６１】
試験結果：
実施例１
表１から明らかなように、微生物の増殖は参照製品１による単一コアの従来の吸収体において良好であった。細菌の増殖は方法４に従って測定された。
【００６２】
表１：
時間            Escherichia      Proteus        Enterococcus
coli             mirabilis      faecalis
0 時間          3.3              3.1            3.7
6 時間          7.0              6.4            7.1
12 時間          9.2              9.1            8.3
【００６３】
実施例２
表２から明らかなように、微生物の増殖の抑制が試験製品１による単一コア吸収体において良好であった。細菌抑制は方法４に従って測定された。
【００６４】
表２：
時間            Escherichia      Proteus        Enterococcus
coli             mirabilis      faecalis
0 時間          3.2              3.3            3.4
6 時間          5.5              3.2            4.8
12 時間          7.3              4.0            6.1
【００６５】
実施例３
表３から明らかなように、微生物の増殖の抑制は試験製品２による単一コア吸収体において良好であった。測定は方法４に従って実施された。
【００６６】
表３：
時間            Escherichia      Proteus        Enterococcus
coli             mirabilis      faecalis
0 時間          3.4              3.3            3.5
6 時間          3.2              2.6            3.6
12 時間          2.8              2.0            3.5
【００６７】
実施例４
表４から明らかなように、微生物の増殖は参照製品２による二つのコアの従来の吸収体において良好であった。測定は方法４に従って実施された。
【００６８】
表４：
時間           Escherichia      Proteus          Enterococcus
coli             mirabilis        faecalis
UC*    LC**      UC*    LC**      UC*    LC**
0 時間         3.4    3.4       3.4    3.4       3.4    3.4
6 時間         6.8    7.0       6.6    6.7       6.7    6.2
12 時間         9.0    9.0       9.1    9.0       8.0    7.8
UC*＝上部コア、LC**＝下部コア
【００６９】
実施例５
表５から明らかなように、微生物の増殖の抑制は試験製品３による二つのコアの吸収体において良好であった。測定は方法４に従って実施された。
【００７０】
表５：
時間           Escherichia      Proteus          Enterococcus
coli             mirabilis        faecalis
UC*    LC**      UC*    LC**      UC*    LC**
0 時間         3.4    3.4       3.4    3.4       3.4    3.4
6 時間         5.1    5.6       3.3    4.2       4.4    4.5
12 時間         7.3    7.4       4.0    4.0       5.9    4.8
UC*＝上部コア、LC**＝下部コア
【００７１】
実施例６
図９から明らかなようにアンモニアの生成は参照製品４による単一コアの従来の吸収体と比較して試験製品５による単一コアの吸収体において効果的に遅れた。測定は方法５に従って実施された。
【００７２】
実施例７
図１０から明らかなように、試験製品４による吸収体を含めた試料製品を所定時間使用した後、皮膚の表面ｐＨは試験液３を加えた後、参照製品３による従来の超吸収材料を含有する対応する試料製品の場合においてより低いレベルをそれ自体確立した。測定は方法６に従って実施された。
【００７３】
実施例８
表６から明らかなように、試験製品１による単一コア吸収体において測定されたｐＨは試験液を加えた後に３．５−４．９の活性ｐＨ範囲内にあった。測定は方法３に従って実施された。
【００７４】
表６：
試験液１        試験液２         試験液３
pH         4.29            4.42             4.54
【００７５】
実施例９
表７からわかるように、試験液を加えた後、試験製品６による二つのコア吸収体において測定されたｐＨは３．５−４．９の活性ｐＨ範囲内にあった。測定は方法３に従って実施された。
【００７６】
表７：
試験液１        試験液２         試験液３
pH UC*        4.72            4.83             4.80
pH LC**       4.75            4.73             4.73
UC*＝上部コア、LC**＝下部コア
【００７７】
ｐＨが低いほど微生物の増殖を抑制することに関して良好な効果を有する。部分的に中和された超吸収材料が吸収物品において前記積層体とともに使用されるとき、皮膚炎症及び臭いに関するさらなる利点が得られる。記載された積層体は装着者の皮膚に対して乾燥した表面を与え、それはまた皮膚の炎症に関して良好な効果を有する。例えば図２から明確にわかるように、本発明物品の積層体における溶接パターンは３次元構造を有する。これは装着者の皮膚に対して直接横たわる材料が少なく、そのため表面材料と装着者の皮膚の間にある程度の自由度を与えることを意味する。これは例えば摩擦によって及び／又は閉塞（熱）の結果として及び／又は幾らかの液体が最初の湿潤後に装着者の皮膚と接触する上部シート上に残っているという理由で皮膚が湿潤することによって生じる皮膚炎症の危険を減らす。
【００７８】
本発明に従って使用される積層体１のさらなる例が以下に記載される。図３は最上部シート又は層が本発明の吸収物品の装着者のすぐ近くに横たわる積層体１における結合パターンを示す。結合パターンは群５′に配置された菱形の結合位置４からなり、各群５′内に四つの結合位置４を有する。また、図３に示された結合パターンは四つの結合位置４をそれぞれ有する四つの群５′を含む上位の群編成５″を含む。かくして、材料中に相互に異なる密度を有する三つの異なるタイプの領域６，７，９が図３に示された結合パターンにおいて認識されることができる。最小の孔サイズを有する最も密な材料構造は四つの結合位置４を含む群５′に見出される。わずかに大きい孔サイズを有する密度の低い領域７は四つの結合位置４をそれぞれ有する群５′を含む上位の群編成５″に見出される。最も低い密度の領域９は上位の群編成５″の間、及び上位の群編成５″の間に配置された結合位置４の単一群５と上位の群編成５″の間に見出される。
【００７９】
図４の例の場合には、結合位置４は一般に平行なストライプ構成５に配置された短い（１−１．５ｍｍ）ダッシュ状結合の形を有する。そのストライプ構成５は前記ストライプにおける結合位置４間の距離より大きい距離だけ相互に離れている。各ストライプ中の結合位置４間に設けられているのは前記線又はストライプ５間に位置される領域７より小さい孔サイズを有する密度を高めた領域６である。
【００８０】
図５−７はさらに考えられる結合パターンを示す。図５に示された結合パターンは一般に平行な、波状の対の結合線４を含み、そこでは各対５の線４間の距離は結合線４の対５の間の距離より大きい。各対の結合線４の間の密度を高めた液体移動領域及び結合対５間の嵩高くて柔らかくかつ通気性のある間隔のあいた領域７を含む積層体が図５に示された結合パターンで得られる。
【００８１】
ストライプ又は線の形で結合位置４を配置することによって与えられる一つの利点はかかる結合パターンを含む上部材料はストライプ又は線に沿って液体を案内し、前記ストライプ又は線に垂直な液体の広がりに対抗することである。この手段は吸収物品における縁漏れの危険を減少するために有利に使用されることができる。
【００８２】
図６は密度を高めた領域６を画定する同心環の形の二つの結合位置４から各々なる群５を含み、密度の低い領域７が環形状結合位置４の外側環の外側に見出されるパターンを示す。
【００８３】
図７は各対５におけるダッシュ状線４の間に密度を高めた領域６を、そしてダッシュ状線４の対の間に密度の低い領域を形成するように所定の距離を離して対で配置された短い平行なダッシュ状線４を含むパターンを示す。
【００８４】
図８は液体透過性上部シート２及び液体透過性液体移動シート３を有する積層体１を含む失禁プロテクタ又はナプキン１０の形の本発明の吸収物品の一例を示す。また、物品は液体不透過性下部シート１１及び上部シート２と下部シート１１の間に包囲された吸収体又はパッド１２を含む。上部シート２及び下部シート１１は吸収体１２よりわずかに大きい範囲を有し、前記吸収体の縁を越えてわずかに突出する。上部シート２及び下部シート１１は例えば熱又は超音波による溶接又は接着によってそれらの外方に突出する部分１３に沿って一緒に接合される。
【００８５】
吸収体１２はいかなる従来の種類のものであってもよい。代表的な吸収材料の例はセルロース毛羽パルプ、ティッシュ、高吸収ポリマー（いわゆる超吸収材料）、吸収フォーム、吸収不織布などである。液体取得能力、液体分散能力及び貯蔵能力に関して異なる特性を有する異なる材料の層で吸収体を構成することが普通である。かかる構成は当業者に良く知られ、ここで詳細に記載される必要はない。例えば子供のおむつ及び失禁保護物に通常存在する薄い吸収体又はパッドはセルロース毛羽パルプ及び超吸収材料の圧縮された混合又は層状構造から構成されることが多い。本発明によれば、吸収材料は吸収体において部分的に中和された超吸収材料と混合される。前述したように、これは結果として使用時に皮膚に対して低いｐＨを有しかつ皮膚に対して乾燥表面を与える吸収物品を生じる。皮膚の炎症及び悪臭ガスの形成は微生物の増殖の抑制、皮膚の摩擦の減少、及び皮膚と接触する湿分の減少などの幾つかの要因によって消去される。
【００８６】
失禁保護物又はナプキン１０は幅広い端部分１５，１６及び前記端部分１５，１６の間に位置された狭い股部分１７を含む砂時計形状を有する。股部分１７は放出された体液のための取得表面として機能しかつ使用時に装着者の太ももの間に横たわることを意図される失禁保護物の部分である。
【００８７】
前述したように、液体透過性上部シート２と吸収体１１の間に与えられているのは多孔質弾性液体移動シート３、例えば繊維詰物、多孔質フォームの層又は図１及び２に示された積層体における第２シートのために好適である上述の材料のうちの一つの層である。液体移動シート３は上部シート２を通過する液体を受ける。排尿は短時間で相対的に大きな体積の液体の放出を伴うことが多い。それゆえ液体透過性上部シートと内方にある液体移動シート３の間で達成される接触は液体が液体移動シート３中に素早く透過できるようなものであることが重要である。液体移動シートは高い嵩密度及び好ましくは０．５−４ｍｍの厚さを有するので、シート３は吸収体１１中に続いて吸収される前に一時的な液体溜めとして機能することができる。
【００８８】
示された例では、液体移動シート３は吸収体１１よりわずかに狭いが、失禁保護物の全長に沿って延びる。このデザインによる一つの利点は材料消費の節約をなしうることである。当然、液体移動シート３を失禁保護物の長さより短くすることによってさらなる節約をなしうることができる。例えば、この点に関して一つの考えられる代替策は液体移動シート３を前記失禁保護物の股部分１７にだけ置くことである。なぜならば失禁保護物によって吸収される体液又は流体の大部分はこの保護物部分１７内に放出されることが期待されうるからである。
【００８９】
通常使用されるそれらの液体移動シートはしばしば極めて多孔質であり、そのため相対的に大きな有効平均孔サイズを示し、それは従来の液体透過性上部シート材料の有効平均孔サイズより大きいことが多い。繊維材料の有効平均孔サイズはＥＰ−Ａ  ０４７０３９２に記載された方法に従って測定されることができる。毛管作用の結果として、液体は粗い毛管から微細な毛管に移ろうとするが、その逆はないため、液体は多孔質な液体移動シートによって流出される代わりに外側材料の繊維ネットワーク中に残る傾向を持つだろう。結果として、液体が外部シート又は上部シートの表面上を走り、漏出する危険がある。上部シートの繊維構造に残っている液体は前記シートの表面を湿っているように感じさせるため、装着者にとって不快感を与える。
【００９０】
図１及び２に示された積層体に関して記載されているように液体移動シート３に液体透過性上部シート２を接合することによって、液体移動シート３は結合位置４において圧縮されるだろう。かくして、液体移動シート３は密度が各結合位置４に向かって増大する密度勾配を有する。それゆえ液体移動シート３は孔サイズ勾配及び有効平均孔サイズが液体透過性上部シート２の平均孔サイズより小さい領域を結合位置４のまわりの領域に与えるだろう。本発明に従って結合位置４の群を形成することによって、液体移動シート３の平均孔サイズが液体透過性上部シート２の平均孔サイズより小さい積層体１表面の部分を増大することができる。
【００９１】
これは液体移動シート３が上部シート２から液体を有効に排出することを可能にする。液体は各結合位置４の周囲の領域において及び各結合位置群５における結合位置４間にある密度の高い領域６において上部シート２から排出されるので、これらの領域は周囲の領域との液体均等化を達成するように液体の欠損を生じるだろう。上部シート２はそれによって全体として液体を含有する量が少なくなり、結果として他の場合より皮膚に対して乾燥しているように感じられるだろう。吸収体に存在する部分的に中和された超吸収材料の結果として、物品使用時に低いｐＨが得られるので、例えば皮膚炎症の危険が大きく低下される。
【００９２】
結合位置４を前記結合位置４間の非結合の密度を高められた領域６を有する群５に配置することによって、相対的に少ない結合で液体透過性上部シート２から液体移動シート３への液体移動を極めて有効に達成することができる。さらに、非結合領域７は群５間に残り、それによって使用時に装着者の近くに横たわる失禁保護物１０の表面に対して波状又は“凹凸のある”構造を与える。結合群５間のこれらの非結合領域７は嵩高くて柔らかく、積層体１を通気性にして快適に装着させることができ、しかも装着者の皮膚から前記表面を有効に離しているため、積層体が湿潤されるときであっても皮膚は乾燥したままである。
【００９３】
効果的な液体移動が液体移動シート３と吸収体１１の間に得られることを確実にするために、吸収体は液体移動シート３より大きい液体に対する親和性を有することが好ましいだろう。これは例えば吸収体１１より親水性に劣る液体移動シート３を作ることによって及び／又は吸収体１１に液体移動シート３より微細な毛管構造を与えることによって達成されることができる。
【００９４】
本発明はその記載された例示的具体例に制限されないこと及び多数の変形及び修正が特許請求の範囲内で考えられることが理解されるだろう。
【００９５】
この明細書で使用された“含む（comprise）”という言葉は全く限定のない“含む（include）”の意味である。
【図面の簡単な説明】
【図１】  本発明による吸収物品に含まれる積層体を上から示す。
【図２】  図１において線II−IIでとった、図１の積層体を通る断面図である。
【図３】  第１結合パターンを示す。
【図４】  第２結合パターンを示す。
【図５】  第３結合パターンを示す。
【図６】  第４結合パターンを示す。
【図７】  第５結合パターンを示す。
【図８】  失禁保護物の形の本発明の第１例を示す。
【図９】  参照製品４と比較した参照製品におけるアンモニアの生成量のダイヤグラム表示である。
【図１０】  対応する試験製品４の使用と比較した従来の吸収体を含む試験製品を使用するときの皮膚表面ｐＨのダイヤグラム表示である。
【図１】
0004489300.tif 000002
【図２】
0004489300.tif 000003
【図３】
0004489300.tif 000004
【図４】
0004489300.tif 000005
【図５】
0004489300.tif 000006
【図６】
0004489300.tif 000007
【図７】
0004489300.tif 000008
【図８】
0004489300.tif 000009
【図９】
0004489300.tif 000010
【図１０】
0004489300.tif 000011